(57)【要約】【課題】チャネル切換や入力ソースの切換を行ってもタイムシフト機能を停止させることなく番組の蓄積を実行しつづけることが可能でチャネル切換動作を早くできるようなハードディスクレコーダを提供する。【解決手段】ＨＤＤ６に受信中の番組を蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダであって、制御部１０はチャネル切換が指令されたことに応じて、ＨＤＤ６を直ちに蓄積動作に入れるポーズ状態にした後、録画待ちの状態にしてチャネル切換を実行し、ハードディスクが録画待ちであることを判別したことに応じて再生状態にする。【選択図】　　　　図２
2004048142.tif 000002
【特許請求の範囲】
【請求項１】
受信中の番組をハードディスクに蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダであって、
チャネル切換が指令されたことに応じて、前記ハードディスクを直ちに蓄積動作に入れるポーズ状態にした後、録画待ちの状態にしてチャネル切換を実行し、前記ハードディスクが録画待ちであることを判別したことに応じて再生状態にする制御手段を備えたことを特徴とする、ハードディスクレコーダ。
【請求項２】
受信中の番組をハードディスクに蓄積し、蓄積した番組を表示可能なハードディスクレコーダであって、
チャネル切換が指令されたことに応じて、前記ハードディスクを直ちに蓄積動作に入れるポーズ状態にした後、録画待ちの状態にしてチャネル切換を実行し、前記ハードディスクが録画待ちであることを判別したことに応じて再生状態にする制御手段を備えたことを特徴とする、ハードディスクレコーダ。
【発明の詳細な説明】
【０００１】
【発明の属する技術分野】
この発明はハードディスクレコーダに関し、特に、受信中の番組を蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダに関する。
【０００２】
【従来の技術】
ハードディスクレコーダとしては特開２００２−４４５４２公報に記載されたＴＶ番組視聴装置がある。このようなハードディスクレコーダは大容量のハードディスク（以下、ＨＤＤと称する）が安価に製造できるようになったことに伴い実用化されたものである。従来のビデオテープレコーダ（ＶＴＲ）では、録画と再生のいずれか一方しか動作させることができないため、録画を終了し終えた後でなければ録画した番組を再生できない。これに対して、ハードディスクレコーダでは、タイムシフト再生機能を利用して番組をＨＤＤに蓄積処理中であっても蓄積した番組を蓄積している範囲内の任意の箇所から表示できるという特徴がある。ハードディスクレコーダには図４に示すようなバッファが内蔵されており、選択した番組に関する情報が順次蓄積される。図４に示した例では、チャネル１，チャネル２，外部入力，チャネル１という順に番組情報が蓄積されている。
【０００３】
【発明が解決しようとする課題】
しかしながら、これまで提案されているハードディスクレコーダでは番組の蓄積中に、利用者がチャネル１からチャネル２に切換えると、バッファにはそれまでに蓄積された番組情報は蓄積されているものの、ＨＤＤのセクタアドレスをクリアして先頭アドレスに戻しているため、チャネル１の蓄積内容を見ることができない。番組情報を示すセクタアドレスが先頭に戻されるため、チャネル１の番組のどこまで遡って再生してよいかわからなくなるからである。
【０００４】
このため、番組の蓄積中はチャネルを切換えたり、入力ソースを切換えることを禁止するか、あるいはタイムシフト機能を停止させるようにしていた。このため、利用者はタイムシフト機能を動作させているときには、チャネルを切換えたり、入力ソースを切換えないように気を配ることが要求されている。また、これまで提案されているハードディスクレコーダはチャネル切換えに時間がかかるという欠点があった。
【０００５】
図５は従来のチャネル切換動作を説明するためのフローチャートである。図５において、チャネル切換が指令されると、制御用ＩＣチップから停止コマンドが出力される。この停止コマンドにはステップＳＰ（図示ではＳＰと略称する）１のポーズと、ステップＳＰ２のアイドルと、ステップＳＰ３の停止のコマンドが含まれている。ステップＳＰ１において、ＨＤＤなどのハード構成が停止することなく指令があれば直ちに番組蓄積動作に入れるポーズ状態にする。ステップＳＰ２において、録画待ちの状態すなわちアイドル状態にし、その後、ステップＳＰ３において停止状態とし、ステップＳＰ４においてチャネル切換動作を行う。
【０００６】
ステップＳＰ５において、ＨＤＤによる蓄積画像の再生が可能であるか否かを判別する。この判別は制御用ＩＣチップのステータスの状態により行なわれる。制御用ＩＣチップは再生が可能であれば、再生コマンドを出力する。再生コマンドにはステップＳＰ６の停止と、ステップＳＰ７のアイドルと、ステップＳＰ８のポーズのコマンドが含まれている。この再生コマンドに基づいて、ステップＳＰ６において停止状態とし、ステップＳＰ７で再びアイドル状態とし、ステップＳＰ８においてポーズとし、ステップＳＰ９において再生動作させる。
【０００７】
このように従来のチャネル切換動作では、制御用ＩＣチップによる停止コマンドおよび再生コマンドを用いてチャネル切換前にＨＤＤを完全に停止させ、その後チャネル切換を実行し、ＨＤＤを動作させて再生状態に移行させているのでチャネル切換に数１０秒要してしまうという問題もあった。
【０００８】
それゆえに、この発明の主たる目的は、チャネル切換や入力ソースの切換を行ってもタイムシフト機能を停止させることなく番組の蓄積を実行しつづけることが可能でチャネル切換動作を早くできるようなハードディスクレコーダを提供することである。
【０００９】
【課題を解決するための手段】
この発明は、ハードディスクに受信中の番組を蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダであって、チャネル切換が指令されたことに応じて、ハードディスクを直ちに蓄積動作に入れるポーズ状態にした後、録画待ちの状態にしてチャネル切換を実行し、ハードディスクが録画待ちであることを判別したことに応じて再生状態にする制御手段を備えたことを特徴とする。
【００１０】
他の発明は、受信中の番組をハードディスクに蓄積し、蓄積した番組を表示可能なハードディスクレコーダであって、チャネル切換が指令されたことに応じて、ハードディスクを直ちに蓄積動作に入れるポーズ状態にした後、録画待ちの状態にしてチャネル切換を実行し、ハードディスクが録画待ちであることを判別したことに応じて再生状態にする制御手段を備えたことを特徴とする。
【００１１】
【発明の実施の形態】
図１はこの発明の一実施形態におけるハードディスクレコーダのブロック図である。図１において、外部入力の映像信号はＡ／Ｄ変換器１によってデジタル信号に変換されて圧縮処理部４に与えられ、アンテナからの映像信号はチューナ２で受信され、Ａ／Ｄ変換器３でデジタル信号に変換されて圧縮処理部４に与えられる。圧縮処理部４は入力された映像信号の情報量を少なくするために圧縮処理を行なってＨＤＤ６に蓄積する。記憶部５は半導体メモリなどで構成されており、ＨＤＤ６に蓄積した番組に関する情報を記憶する。
【００１２】
ＨＤＤ６に蓄積された映像信号が読み出されると、その映像信号に関連する情報も記憶部５から読み出されて伸張処理部７に与えられて元の番組の映像信号に伸張処理が行なわれる。そして、その映像信号はＤ／Ａ変換器９によってアナログ信号に変換されて外部に出力される。なお、ハードディスクレコーダにはＤＶＤ再生器１０も搭載されており、ＤＶＤ再生器８からも映像信号が出力される。
【００１３】
制御部１０は圧縮処理部４，ＨＤＤ６，伸張処理部７およびＤＶＤ再生器９の制御を行なうとともにチャネル切換動作も実行する。
【００１４】
図２この発明の一実施形態におけるハードディスクレコーダの動作を説明するためのフローチャートであり、図３はタイムシーケンス図である。
【００１５】
図２に示すフローチャートは、図１に示したＨＤＤ６で番組を蓄積中にチャネル切換を許容する動作を示している。チャネル切換が指令されると、制御部１０はステップＳＰ１１において従来のような停止コマンドを出力するのではなく、直ちにポーズコマンドを出力し、ＨＤＤ６などのハード構成が停止することなく指令があれば直ちに番組蓄積動作に入れるポーズ状態にする。ステップＳＰ１２において、制御部１０は録画待ちの状態すなわちアイドル状態にする。その後、ステップＳＰ１３においてチャネル切換動作を行う。
【００１６】
ステップＳＰ１４において、ＨＤＤ６がアイドル状態であるかを判別する。アイドル状態でなければアイドル状態になるまで待機する。ステップＳＰ１４においてアイドル状態になったことを判別すると、ステップ１５において再生動作させる。
【００１７】
従来は図３（ａ）に示すようにチャネル切換があると、まずポーズ，アイドル，停止の処理を含む停止コマンドを出力してＨＤＤ６を完全に停止状態とし、チャネル切換後に停止，アイドル，ポーズの各処理を含む再生コマンドを出力してＨＤＤ６を動作させているので、蓄積動作を開始するまで長時間（数１０秒）要した。
【００１８】
これに対して、この発明では図３（ｂ）に示すようにチャネル切換時にポーズ状態からアイドル状態に移行した後、ＨＤＤ６を停止させることなくチャネル切換を行ない、ＨＤＤ６がアイドル状態であることを確認すると直ちに再生動作に移るようにしたので、１／１０秒程度で蓄積動作を開始させることができる。
【００１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２０】
【発明の効果】
以上のように、この発明によれば、チャネル切換が指令されたことに応じて、ハードディスクを直ちに蓄積動作に入れるポーズ状態にした後、録画待ちの状態にしてチャネル切換を実行し、ハードディスクが録画待ちであることを判別したことに応じて再生状態にすることにより、タイムシフト機能を停止させることなく番組の蓄積を実行しつづけることが可能となり、しかも従来チャネル切換動作に数１０秒要していたのに対して、１／１０秒程度にまでチャネル切換動作時間を大幅に短縮することができる。
【図面の簡単な説明】
【図１】この発明の一実施形態におけるハードディスクレコーダのブロック図である。
【図２】この発明の一実施形態におけるハードディスクレコーダのチャネル切換動作を説明するためのフローチャートである。
【図３】従来のチャネル切換動作と、この発明の一実施形態におけるチャネル切換動作を説明するためのタイムシーケンス図である。
【図４】ハードディスクレコーダに内蔵されているバッファを示す図である。
【図５】従来のハードディスクレコーダのチャネル切換動作を説明するためのフローチャートである。
【符号の説明】
１，３　Ａ／Ｄ変換器、２　チューナ、４　圧縮処理部、５　記憶部、６　ＨＤＤ、７　伸張処理部、８　Ｄ／Ａ変換器、９　ＤＶＤ再生器、１０　制御部。
【図１】
2004048142.tif 000003
【図２】
2004048142.tif 000004
【図３】
2004048142.tif 000005
【図４】
2004048142.tif 000006
【図５】
2004048142.tif 000007